(57)【要約】      （修正有）【課題】容易な認証により接続し、かつ、不正接続を防止するシステム動作方法を提供する。【解決手段】信号処理部１２は接続の通知があったなら予め設定した波形で認証信号を作成しｃ３、これを信号送信部１３は記憶媒体２に送信するｃ５。信号受信部２１は信号を信号処理部２２に転送するｃ６。信号処理部２２は認証信号が予め設定した波形の信号であるなら認証応答信号を信号送信部２３と媒体処理部２４に転送するｃ８、ｃ９。媒体処理部２４は認証応答信号を処理し記憶媒体２を起動待ちにするｃ１１。信号送信部２３は認証応答信号を端末１に送信するｃ１２。信号受信部１４は信号を信号処理部１２に転送するｃ１３。信号処理部１２は認証応答信号が予め設定した波形の信号ならｃ１４端末処理部１５に認証成功を通知するｃ１５。端末処理部１５は通知があったなら接続を許可するｃ１６。【選択図】図２
2015222468.tif 000002
【特許請求の範囲】
【請求項１】
端末と記憶媒体を含む接続システムにおいて、
前記端末は、接続検出部、信号処理部、信号送信部、信号受信部、端末処理部を備え、
前記端末の接続検出部は、前記記憶媒体が端末に接続されたなら前記端末の信号処理部に通知し、
前記端末の信号処理部は、前記端末の接続検出部から通知を受信したなら、予め設定した波形で認証信号を作成して前記端末の信号送信部に転送し、前記端末の信号受信部から前記記憶媒体の認証応答信号を受信したなら、当該認証応答信号を処理し、当該認証応答信号が予め設定した波形の信号であると判定したなら、前記端末の端末処理部に認証成功を通知する一方、当該波形の信号でないなら処理を停止し、前記端末の信号受信部から認証応答信号が転送されないなら、前記端末の端末処理部に不正媒体であることを通知し、
前記端末の信号送信部は、前記端末の信号処理部から受信した認証信号を前記記憶媒体に送信し、
前記端末の信号受信部は、前記記憶媒体から受信した応答信号を前記端末の信号処理部に転送し、
前記端末の端末処理部は、前記認証成功が通知されたなら接続を許可し、前記記憶媒体に給電を行い前記記憶媒体と接続する一方、前記不正媒体であることを通知されたなら接続を不許可とし、
前記記憶媒体は、信号受信部、信号処理部、信号送信部、媒体処理部を備え、
前記記憶媒体の信号受信部は、前記端末から受信した認証信号を前記記憶媒体の信号処理部に転送し、
前記記憶媒体の信号処理部は、前記記憶媒体の信号受信部から受信した信号を処理し認証信号であることを検出し、当該認証信号が予め設定した波形の信号であるなら、認証応答信号を作成して前記記憶媒体の信号送信部と媒体処理部に転送する一方、当該認証信号が当該波形の信号でないなら処理を停止し、
前記記憶媒体の信号送信部は、前記記憶媒体の信号処理部から受信した認証応答信号を前記端末に送信し、
前記記憶媒体の媒体処理部は、前記記憶媒体の信号処理部から受信した認証応答信号を処理し、当該記憶媒体を起動待ちの状態にする
ことを特徴とする接続システム。
【請求項２】
前記記憶媒体の信号処理部は、前記認証信号が予め設定した波形の信号でないなら、その旨を前記記憶媒体の媒体処理部に通知し、
前記記憶媒体の媒体処理部は、当該通知を受けたなら、前記端末からの給電による電圧により自身を破壊する
ことを特徴とする請求項１記載の接続システム。
【請求項３】
サーバと端末を含む接続システムにおいて、
前記サーバは、接続検出部、信号処理部、信号送信部、信号受信部、サーバ処理部を備え、
前記サーバの接続検出部は、前記端末がサーバに接続されたなら前記サーバの信号処理部に通知し、
前記サーバの信号処理部は、前記サーバの接続検出部から通知を受信したなら、予め設定した波形で認証信号を作成して前記サーバの信号送信部に転送し、前記サーバの信号受信部から認証応答信号を受信したなら、当該認証応答信号を処理し、当該認証応答信号が予め設定した波形の信号であると判定したなら、前記サーバのサーバ処理部に認証成功を通知する一方、当該波形の信号でないなら処理を停止し、前記サーバの信号受信部から認証応答信号の転送がないなら、前記サーバのサーバ処理部に不正端末であることを通知し、
前記サーバの信号送信部は、前記サーバの信号処理部から受信した認証信号を前記端末に送信し、
前記サーバの信号受信部は、前記端末から受信した応答信号を前記サーバの信号処理部に転送し、
前記サーバのサーバ処理部は、前記認証成功が通知されたなら接続を許可する一方、前記不正端末であることを通知されたなら接続を不許可とし、
前記端末は、信号受信部、信号処理部、信号送信部、端末処理部を備え、
前記端末の信号受信部は、前記サーバから受信した認証信号を前記端末の信号処理部に転送し、
前記端末の信号処理部は、前記端末の信号受信部から受信した信号を処理し認証信号であることを検出し、当該認証信号が予め設定した波形の信号であるなら、認証応答信号を作成して前記端末の信号送信部と端末処理部に転送する一方、当該認証信号が当該波形の信号でないなら処理を停止し、
前記端末の信号送信部は、前記端末の信号処理部から受信した認証応答信号を前記サーバに送信し、
前記端末の端末処理部は、前記端末の信号処理部から受信した認証応答信号を処理し、当該端末を起動待ちの状態にする
ことを特徴とする接続システム。
【請求項４】
前記認証信号は、予め設定した周波数の信号、または、予め設定された０と１で表現されるバイナリコードに変換して電気信号にしたパルス信号、または、当該信号および当該パルス信号を変調した信号であり、
前記認証応答信号は、予め設定した周波数の信号、または、予め設定された０と１で表現されるバイナリコードに変換して電気信号にしたパルス信号、または、当該信号および当該パルス信号を変調した信号である
ことを特徴とする請求項１ないし３のいずれかに記載の接続システム。
【請求項５】
端末と記憶媒体を含む接続システムの動作方法において、
前記端末は、接続検出部、信号処理部、信号送信部、信号受信部、端末処理部を備え、
前記端末の接続検出部は、前記記憶媒体が端末に接続されたなら前記端末の信号処理部に通知し、
前記端末の信号処理部は、前記端末の接続検出部から通知を受信したなら、予め設定した波形で認証信号を作成して前記端末の信号送信部に転送し、前記端末の信号受信部から前記記憶媒体の認証応答信号を受信したなら、当該認証応答信号を処理し、当該認証応答信号が予め設定した波形の信号であると判定したなら、前記端末の端末処理部に認証成功を通知する一方、当該波形の信号でないなら処理を停止し、前記端末の信号受信部から認証応答信号が転送されないなら、前記端末の端末処理部に不正媒体であることを通知し、
前記端末の信号送信部は、前記端末の信号処理部から受信した認証信号を前記記憶媒体に送信し、
前記端末の信号受信部は、前記記憶媒体から受信した応答信号を前記端末の信号処理部に転送し、
前記端末の端末処理部は、前記認証成功が通知されたなら接続を許可し、前記記憶媒体に給電を行い前記記憶媒体と接続する一方、前記不正媒体であることを通知されたなら接続を不許可とし、
前記記憶媒体は、信号受信部、信号処理部、信号送信部、媒体処理部を備え、
前記記憶媒体の信号受信部は、前記端末から受信した認証信号を前記記憶媒体の信号処理部に転送し、
前記記憶媒体の信号処理部は、前記記憶媒体の信号受信部から受信した信号を処理し認証信号であることを検出し、当該認証信号が予め設定した波形の信号であるなら、認証応答信号を作成して前記記憶媒体の信号送信部と媒体処理部に転送する一方、当該認証信号が当該波形の信号でないなら処理を停止し、
前記記憶媒体の信号送信部は、前記記憶媒体の信号処理部から受信した認証応答信号を前記端末に送信し、
前記記憶媒体の媒体処理部は、前記記憶媒体の信号処理部から受信した認証応答信号を処理し、当該記憶媒体を起動待ちの状態にする
ことを特徴とする接続システムの動作方法。
【請求項６】
サーバと端末を含む接続システムの動作方法において、
前記サーバは、接続検出部、信号処理部、信号送信部、信号受信部、サーバ処理部を備え、
前記サーバの接続検出部は、前記端末がサーバに接続されたなら前記サーバの信号処理部に通知し、
前記サーバの信号処理部は、前記サーバの接続検出部から通知を受信したなら、予め設定した波形で認証信号を作成して前記サーバの信号送信部に転送し、前記サーバの信号受信部から認証応答信号を受信したなら、当該認証応答信号を処理し、当該認証応答信号が予め設定した波形の信号であると判定したなら、前記サーバのサーバ処理部に認証成功を通知する一方、当該波形の信号でないなら処理を停止し、前記サーバの信号受信部から認証応答信号の転送がないなら、前記サーバのサーバ処理部に不正端末であることを通知し、
前記サーバの信号送信部は、前記サーバの信号処理部から受信した認証信号を前記端末に送信し、
前記サーバの信号受信部は、前記端末から受信した応答信号を前記サーバの信号処理部に転送し、
前記サーバのサーバ処理部は、前記認証成功が通知されたなら接続を許可する一方、前記不正端末であることを通知されたなら接続を不許可とし、
前記端末は、信号受信部、信号処理部、信号送信部、端末処理部を備え、
前記端末の信号受信部は、前記サーバから受信した認証信号を前記端末の信号処理部に転送し、
前記端末の信号処理部は、前記端末の信号受信部から受信した信号を処理し認証信号であることを検出し、当該認証信号が予め設定した波形の信号であるなら、認証応答信号を作成して前記端末の信号送信部と端末処理部に転送する一方、当該認証信号が当該波形の信号でないなら処理を停止し、
前記端末の信号送信部は、前記端末の信号処理部から受信した認証応答信号を前記サーバに送信し、
前記端末の端末処理部は、前記端末の信号処理部から受信した認証応答信号を処理し、当該端末を起動待ちの状態にする
ことを特徴とする接続システムの動作方法。
【請求項７】
前記認証信号は、予め設定した周波数の信号、または、予め設定された０と１で表現されるバイナリコードに変換して電気信号にしたパルス信号、または、当該信号および当該パルス信号を変調した信号であり、
前記認証応答信号は、予め設定した周波数の信号、または、予め設定された０と１で表現されるバイナリコードに変換して電気信号にしたパルス信号、または、当該信号および当該パルス信号を変調した信号である
ことを特徴とする請求項５または６記載の接続システムの動作方法。
【請求項８】
請求項１または２記載の接続システムの端末または記憶媒体、もしくは、請求項３記載の接続システムのサーバまたは端末としてコンピュータを機能させるためのコンピュータプログラム。
【発明の詳細な説明】
【技術分野】
【０００１】
本発明は、接続システムおよび接続システムの動作方法に関するものである。
【背景技術】
【０００２】
ＰＣなどの端末にＵＳＢメモリなどの記憶媒体を接続する場合、また、サーバに端末を接続する場合、通常、記憶媒体内やサーバ側にインストールされているソフトが起動し、ＩＤやパスワードなどの文字列を投入することにより認証を行い、不正な接続を防止する。
【０００３】
しかしながら、ＩＤやパスワードの投入については、同じ文字列の使い回しなどにより漏洩する危険性が高く、また、辞書の単語を自動投入することにより反応を試す辞書攻撃や、数字や文字の全ての組合せを自動投入する総当たり攻撃など、アプリケーションレイヤでパスワード認証を回避されることによる情報流出が懸念され、必ずしも安全性が高いとはいえない。
【０００４】
従来の技術である特許文献１では、個人ＩＤ、パスワードが他人に知られても不正な接続を防止できる接続認証システムとして、端末からサーバに接続を求めた際にワンタイムのユーザコードを発行し、ユーザが携帯電話等のユーザ端末を使用してワンタイムのユーザコードを送信した時にワンタイムのユーザコードと携帯電話等の端末特定情報とからユーザのアクセス権限の真正を判断して接続を許可する方法を記載している。しかし、ネットワーク上で認証サーバを介したワンタイムコードの利用、また、他の物理的な特定情報を利用するため、ＰＣなどの端末にＵＳＢメモリなどの記憶媒体を接続する場合や、サーバに対しコンソールケーブル等でＰＣなどの端末を接続する場合には適用できない。
【０００５】
パスワードを利用しない方式としては、携帯電話で利用されるＳＩＭ（Ｓｕｂｓｃｒｉｂｅｒ  Ｉｄｅｎｔｉｔｙ  Ｍｏｄｕｌｅ）認証と呼ばれる方式がある（非特許文献１）。
【０００６】
本方式では、携帯電話のＩＤを書き込んだスマートカードであるＳＩＭカードを携帯電話に差し込み携帯電話の利用者を認証する。また、無線ＬＡＮの接続機能のある携帯電話、スマートフォンでは、無線ＬＡＮ環境にてパスワードを投入することなくＳＩＭカードのＩＤを用いて認証、接続することが可能となる。パスワードの利用が不要となるだけでなく、投入の必要がないため利便性が高い。
【０００７】
しかしながら、ＰＣ等の端末にＵＳＢメモリなどの記憶媒体を接続して認証する場合や、サーバに対しコンソールケーブル等でＰＣなどの端末を接続する場合では、携帯電話のＩＤを書き込んだＳＩＭカード等のスマートカードを利用する方法は利用することができない。
【先行技術文献】
【特許文献】
【０００８】
【特許文献１】特開２００１−３５７０１５号公報
【非特許文献】
【０００９】
【非特許文献１】IETF RFC4186 Extensible Authentication Protocol Method for Global System for Mobile Communications (GSM) Subscriber Identity Modules (EAP-SIM)
【発明の概要】
【発明が解決しようとする課題】
【００１０】
端末への記憶媒体の接続、また、サーバに対しコンソールケーブル等で端末を接続する場合においては、パスワードの漏洩や辞書攻撃、総当たり攻撃などのパスワードの自動入力によるアプリケーションレイヤでのパスワード認証の回避にさらされ易い。
【００１１】
また、一般的なワンタイムコード、携帯電話のＳＩＭカードなどの他の物理的な特定情報を利用することは困難である。
【００１２】
本発明は、上記の課題に鑑みてなされたものであり、その目的とするところは、容易な認証により接続でき、かつ、不正接続を防止できる接続システムおよびその動作方法を提供することにある。
【課題を解決するための手段】
【００１３】
上記の課題を解決するために、第１の本発明は、端末と記憶媒体を含む接続システムにおいて、前記端末は、接続検出部、信号処理部、信号送信部、信号受信部、端末処理部を備え、前記端末の接続検出部は、前記記憶媒体が端末に接続されたなら前記端末の信号処理部に通知し、前記端末の信号処理部は、前記端末の接続検出部から通知を受信したなら、予め設定した波形で認証信号を作成して前記端末の信号送信部に転送し、前記端末の信号受信部から前記記憶媒体の認証応答信号を受信したなら、当該認証応答信号を処理し、当該認証応答信号が予め設定した波形の信号であると判定したなら、前記端末の端末処理部に認証成功を通知する一方、当該波形の信号でないなら処理を停止し、前記端末の信号受信部から認証応答信号が転送されないなら、前記端末の端末処理部に不正媒体であることを通知し、前記端末の信号送信部は、前記端末の信号処理部から受信した認証信号を前記記憶媒体に送信し、前記端末の信号受信部は、前記記憶媒体から受信した応答信号を前記端末の信号処理部に転送し、前記端末の端末処理部は、前記認証成功が通知されたなら接続を許可し、前記記憶媒体に給電を行い前記記憶媒体と接続する一方、前記不正媒体であることを通知されたなら接続を不許可とし、前記記憶媒体は、信号受信部、信号処理部、信号送信部、媒体処理部を備え、前記記憶媒体の信号受信部は、前記端末から受信した認証信号を前記記憶媒体の信号処理部に転送し、前記記憶媒体の信号処理部は、前記記憶媒体の信号受信部から受信した信号を処理し認証信号であることを検出し、当該認証信号が予め設定した波形の信号であるなら、認証応答信号を作成して前記記憶媒体の信号送信部と媒体処理部に転送する一方、当該認証信号が当該波形の信号でないなら処理を停止し、前記記憶媒体の信号送信部は、前記記憶媒体の信号処理部から受信した認証応答信号を前記端末に送信し、前記記憶媒体の媒体処理部は、前記記憶媒体の信号処理部から受信した認証応答信号を処理し、当該記憶媒体を起動待ちの状態にすることを特徴とする。
【００１４】
第２の本発明は、サーバと端末を含む接続システムにおいて、前記サーバは、接続検出部、信号処理部、信号送信部、信号受信部、サーバ処理部を備え、前記サーバの接続検出部は、前記端末がサーバに接続されたなら前記サーバの信号処理部に通知し、前記サーバの信号処理部は、前記サーバの接続検出部から通知を受信したなら、予め設定した波形で認証信号を作成して前記サーバの信号送信部に転送し、前記サーバの信号受信部から認証応答信号を受信したなら、当該認証応答信号を処理し、当該認証応答信号が予め設定した波形の信号であると判定したなら、前記サーバのサーバ処理部に認証成功を通知する一方、当該波形の信号でないなら処理を停止し、前記サーバの信号受信部から認証応答信号の転送がないなら、前記サーバのサーバ処理部に不正端末であることを通知し、前記サーバの信号送信部は、前記サーバの信号処理部から受信した認証信号を前記端末に送信し、前記サーバの信号受信部は、前記端末から受信した応答信号を前記サーバの信号処理部に転送し、前記サーバのサーバ処理部は、前記認証成功が通知されたなら接続を許可する一方、前記不正端末であることを通知されたなら接続を不許可とし、前記端末は、信号受信部、信号処理部、信号送信部、端末処理部を備え、前記端末の信号受信部は、前記サーバから受信した認証信号を前記端末の信号処理部に転送し、前記端末の信号処理部は、前記端末の信号受信部から受信した信号を処理し認証信号であることを検出し、当該認証信号が予め設定した波形の信号であるなら、認証応答信号を作成して前記端末の信号送信部と端末処理部に転送する一方、当該認証信号が当該波形の信号でないなら処理を停止し、前記端末の信号送信部は、前記端末の信号処理部から受信した認証応答信号を前記サーバに送信し、前記端末の端末処理部は、前記端末の信号処理部から受信した認証応答信号を処理し、当該端末を起動待ちの状態にすることを特徴とする。
【００１５】
第３の本発明は、端末と記憶媒体を含む接続システムの動作方法において、前記端末は、接続検出部、信号処理部、信号送信部、信号受信部、端末処理部を備え、前記端末の接続検出部は、前記記憶媒体が端末に接続されたなら前記端末の信号処理部に通知し、前記端末の信号処理部は、前記端末の接続検出部から通知を受信したなら、予め設定した波形で認証信号を作成して前記端末の信号送信部に転送し、前記端末の信号受信部から前記記憶媒体の認証応答信号を受信したなら、当該認証応答信号を処理し、当該認証応答信号が予め設定した波形の信号であると判定したなら、前記端末の端末処理部に認証成功を通知する一方、当該波形の信号でないなら処理を停止し、前記端末の信号受信部から認証応答信号が転送されないなら、前記端末の端末処理部に不正媒体であることを通知し、前記端末の信号送信部は、前記端末の信号処理部から受信した認証信号を前記記憶媒体に送信し、前記端末の信号受信部は、前記記憶媒体から受信した応答信号を前記端末の信号処理部に転送し、前記端末の端末処理部は、前記認証成功が通知されたなら接続を許可し、前記記憶媒体に給電を行い前記記憶媒体と接続する一方、前記不正媒体であることを通知されたなら接続を不許可とし、前記記憶媒体は、信号受信部、信号処理部、信号送信部、媒体処理部を備え、前記記憶媒体の信号受信部は、前記端末から受信した認証信号を前記記憶媒体の信号処理部に転送し、前記記憶媒体の信号処理部は、前記記憶媒体の信号受信部から受信した信号を処理し認証信号であることを検出し、当該認証信号が予め設定した波形の信号であるなら、認証応答信号を作成して前記記憶媒体の信号送信部と媒体処理部に転送する一方、当該認証信号が当該波形の信号でないなら処理を停止し、前記記憶媒体の信号送信部は、前記記憶媒体の信号処理部から受信した認証応答信号を前記端末に送信し、前記記憶媒体の媒体処理部は、前記記憶媒体の信号処理部から受信した認証応答信号を処理し、当該記憶媒体を起動待ちの状態にすることを特徴とする。
【００１６】
第４の本発明は、サーバと端末を含む接続システムの動作方法において、前記サーバは、接続検出部、信号処理部、信号送信部、信号受信部、サーバ処理部を備え、前記サーバの接続検出部は、前記端末がサーバに接続されたなら前記サーバの信号処理部に通知し、前記サーバの信号処理部は、前記サーバの接続検出部から通知を受信したなら、予め設定した波形で認証信号を作成して前記サーバの信号送信部に転送し、前記サーバの信号受信部から認証応答信号を受信したなら、当該認証応答信号を処理し、当該認証応答信号が予め設定した波形の信号であると判定したなら、前記サーバのサーバ処理部に認証成功を通知する一方、当該波形の信号でないなら処理を停止し、前記サーバの信号受信部から認証応答信号の転送がないなら、前記サーバのサーバ処理部に不正端末であることを通知し、前記サーバの信号送信部は、前記サーバの信号処理部から受信した認証信号を前記端末に送信し、前記サーバの信号受信部は、前記端末から受信した応答信号を前記サーバの信号処理部に転送し、前記サーバのサーバ処理部は、前記認証成功が通知されたなら接続を許可する一方、前記不正端末であることを通知されたなら接続を不許可とし、前記端末は、信号受信部、信号処理部、信号送信部、端末処理部を備え、前記端末の信号受信部は、前記サーバから受信した認証信号を前記端末の信号処理部に転送し、前記端末の信号処理部は、前記端末の信号受信部から受信した信号を処理し認証信号であることを検出し、当該認証信号が予め設定した波形の信号であるなら、認証応答信号を作成して前記端末の信号送信部と端末処理部に転送する一方、当該認証信号が当該波形の信号でないなら処理を停止し、前記端末の信号送信部は、前記端末の信号処理部から受信した認証応答信号を前記サーバに送信し、前記端末の端末処理部は、前記端末の信号処理部から受信した認証応答信号を処理し、当該端末を起動待ちの状態にすることを特徴とする。
【発明の効果】
【００１７】
本発明によれば、容易な認証により接続でき、かつ、不正接続を防止できる。
【図面の簡単な説明】
【００１８】
【図１】第１の実施の形態に係る接続システムを示す図である。
【図２】第１の実施の形態に係る接続システムの動作方法を示す図である。
【図３】端末１に代えて、不正端末１Ａが使用された際の動作を示す図である。
【図４】記憶媒体２に代えて、不正記憶媒体２Ａが使用された際の動作を示す図である。
【図５】第２の実施の形態に係る接続システムを示す図である。
【図６】第２の実施の形態に係る接続システムの動作方法を示す図である。
【図７】サーバ１０に代えて、不正サーバ１０Ａが使用された際の動作を示す図である。
【図８】端末２０に代えて、不正端末２０Ａが使用された際の動作を示す図である。
【発明を実施するための形態】
【００１９】
以下、本発明の実施の形態について図面を参照して説明する。
[第１の実施の形態]
【００２０】
図１は、第１の実施の形態に係る接続システムを示す図である。
接続システムは、端末１と記憶媒体２を含むものである。
端末１は、ＰＣなどであり、接続検出部１１、信号処理部１２、信号送信部１３、信号受信部１４、端末処理部１５を備える。
【００２１】
接続検出部１１は、ＵＳＢメモリなどの記憶媒体２が端末１に物理的に差し込まれた、つまり接続されたなら、これを検出して信号処理部１２に通知する。
信号処理部１２は、接続検出部１１から記憶媒体２の物理的な接続の通知を受信したなら、予め設定した波形で認証信号を作成し、これを信号送信部１３に転送する。
認証信号は、例えば、予め設定した周波数の信号、または、予め設定された０と１で表現されるバイナリコードに変換して電気信号にしたパルス信号、または、当該信号および当該パルス信号を変調した信号である。
【００２２】
また、信号処理部１２は、信号受信部１４から記憶媒体２の認証応答信号を受信したなら、認証応答信号を処理し、予め設定した波形の信号であると判定したなら、端末処理部１５に認証成功を通知する。
【００２３】
信号処理部１２は、認証応答信号が予め設定した波形の信号でないなら処理を停止する。
信号処理部１２は、信号受信部１４から認証応答信号が転送されないなら、端末処理部１５に不正媒体であることを通知する。
【００２４】
信号送信部１３は、信号処理部１２から認証信号を受信したなら、これを記憶媒体２に送信する。
信号受信部１４は、記憶媒体２から認証応答信号を受信して、これを信号処理部１２に転送する。
【００２５】
端末処理部１５は、信号処理部１２から認証成功を受信したなら、接続を許可し、記憶媒体２に給電を行い記憶媒体２と接続する。
端末処理部１５は、信号処理部１２から不正媒体であることを通知されたなら接続を許可しない。
【００２６】
記憶媒体２は、ＵＳＢメモリなどであり、信号受信部２１、信号処理部２２、信号送信部２３、媒体処理部２４を備える。
信号受信部２１は、端末１から認証信号を受信し、これを信号処理部２２に転送する。
信号処理部２２は、信号受信部２１から受信した信号を処理し認証信号であることを検出する。
信号処理部２２は、認証信号が予め設定した波形の信号であると判定したなら、認証応答信号を作成して信号送信部２３と媒体処理部２４に転送する。
【００２７】
認証応答信号は、予め設定した周波数の信号、または、予め設定された０と１で表現されるバイナリコードに変換して電気信号にしたパルス信号、または、当該信号および当該パルス信号を変調した信号である。
【００２８】
一方、信号処理部２２は、認証信号が予め設定した波形の信号でないなら処理を停止する。
なお、信号処理部２２は、予め設定した波形の信号でないことを媒体処理部２４に通知してもよい。
【００２９】
信号送信部２３は、信号処理部２２から受信した認証応答信号を端末１に送信する。
媒体処理部２４は、信号処理部２２から認証応答信号を受信したなら、認証応答信号を処理し、記憶媒体２を起動待ちの状態にする。
【００３０】
なお、媒体処理部２４は、信号処理部２２から予め設定した波形の信号でないと通知されたなら、端末１からの給電による電圧により自身を破壊してもよい。
【００３１】
図２は、第１の実施の形態に係る接続システムの動作方法を示す図である。
端末１の接続検出部１１は、ＵＳＢメモリなどの記憶媒体２がＰＣなどの端末１に物理的に差し込まれたなら、このような記憶媒体の接続を検出し（ｃ１）、信号処理部１２に通知する（ｃ２）。
【００３２】
信号処理部１２は、接続検出部１１から接続の通知があったなら、予め設定した波形で認証信号を作成し（ｃ３）、これを信号送信部１３に転送する（ｃ４）。
信号送信部１３は、認証信号を記憶媒体２に送信する（ｃ５）。
【００３３】
信号受信部２１は、認証信号を受信し、信号処理部２２に転送する（ｃ６）。
信号処理部２２は、受信した信号を処理し認証信号であることを検出する（ｃ７）。
信号処理部２２は、認証信号が予め設定した波形の信号であると判定したなら、認証応答信号を作成し、これを信号送信部２３と媒体処理部２４に転送する（ｃ８）（ｃ９）。
【００３４】
一方、信号処理部２２は、認証信号が予め設定した波形の信号でないなら処理を停止する（ｃ１０）。
【００３５】
媒体処理部２４は、信号処理部２２から受信した認証応答信号を処理し、記憶媒体２を起動待ちの状態とする（ｃ１１）。
信号送信部２３は、認証応答信号を端末１に送信する（ｃ１２）。
信号受信部１４は、認証応答信号を受信して、これを信号処理部１２に転送する（ｃ１３）。
【００３６】
信号処理部１２は、認証応答信号を処理し、これが予め設定した波形の信号であると判定したなら（ｃ１４）、端末処理部１５に認証成功を通知する（ｃ１５）。
端末処理部１５は、認証成功が通知されたなら接続を許可し、記憶媒体２に給電を行い記憶媒体２と接続する（ｃ１６）。
【００３７】
信号処理部１２は、認証応答信号が予め設定した波形の信号でないなら処理を停止する（ｃ１７）。
【００３８】
このように、第１の実施の形態によれば、容易な認証により端末と記憶媒体を接続することができる。
【００３９】
図３は、端末１に代えて、不正端末１Ａが使用された際の動作を示す図である。
不正端末１Ａは、ＵＳＢメモリなどの記憶媒体２が不正端末１Ａに物理的に差し込まれたなら、このような記憶媒体の接続を検出し、予め設定した波形で認証信号を作成する（ｃ２１）、または、認証信号を生成する機能が無く、認証信号を生成しない。
【００４０】
不正端末１Ａは、認証信号を作成したなら、これを記憶媒体２に送信する（ｃ２２）。
信号受信部２１は、認証信号を受信し、これを信号処理部２２に転送する（ｃ２３）。
信号処理部２２は、信号を処理し、認証信号であることを検出するが、認証信号が予め設定した波形の信号でないと判定し処理を停止する（ｃ２４）。
【００４１】
なお、信号処理部２２は、認証信号が予め設定した波形の信号でないことを媒体処理部２４に通知し（ｃ２５）、媒体処理部２４は、不正端末１Ａからの給電による電圧により自身を破壊してもよい（ｃ２６）。
【００４２】
このように、第１の実施の形態によれば、不正端末と記憶媒体の接続を防止することができる。
【００４３】
図４は、記憶媒体２に代えて、不正記憶媒体２Ａが使用された際の動作を示す図である。
接続検出部１１は、不正記憶媒体２Ａが端末１に物理的に差し込まれたなら、このような接続を検出し（ｃ３１）、信号処理部１２に通知する（ｃ３２）。
【００４４】
信号処理部１２は、接続の通知があったなら、予め設定した波形で認証信号を作成し（ｃ３３）、これを信号送信部１３に転送する（ｃ３４）。
信号送信部１３は、認証信号を不正記憶媒体２Ａに送信する（ｃ３５）。
不正記憶媒体２Ａは、認証信号を受信して信号を処理し、給電の電圧でないことを確認し、給電待ち状態となる（ｃ３６）。
【００４５】
信号処理部１２は、信号受信部１４から認証応答信号が送信されないので、端末処理部１５に不正媒体であることを通知する（ｃ３７）。端末処理部１５は、不正媒体であると認識し接続を許可しない（ｃ３８）。
【００４６】
このように、第１の実施の形態によれば、端末と不正記憶媒体の接続を防止することができる。
[第２の実施の形態]
【００４７】
図５は、第２の実施の形態に係る接続システムを示す図である。
サーバ１０は、接続検出部１０１、信号処理部１０２、信号送信部１０３、信号受信部１０４、サーバ処理部１０５を備える。
【００４８】
接続検出部１０１は、ＰＣなどの端末２０がコンソールケーブル等で該サーバ１０に物理的に接続されたなら、これを検出して信号処理部１０２に通知する。
信号処理部１０２は、接続の通知を受信したなら、予め設定した波形で認証信号を作成し、これを信号送信部１０３に転送する。
【００４９】
認証信号は、例えば、予め設定した周波数の信号、または、予め設定された０と１で表現されるバイナリコードに変換して電気信号にしたパルス信号、または、当該信号および当該パルス信号を変調した信号である。
【００５０】
また、信号処理部１０２は、信号受信部１０４から端末２０の認証応答信号を受信したなら、認証応答信号を処理し、認証応答信号が予め設定した波形の信号であると判定したなら、サーバ処理部１０５に認証成功を通知する。
【００５１】
信号処理部１０２は、予め設定した波形の信号でないなら認証応答信号でないと判定し処理を停止する。
信号処理部１０２は、信号受信部１０４から認証応答信号が転送されないなら、不正端末であることをサーバ処理部１０５に通知する。
【００５２】
信号送信部１０３は、信号処理部１０２から認証信号を受信したなら、これを端末２０に送信する。
信号受信部１０４は、端末２０から認証応答信号を受信して、これを信号処理部１０２に転送する。
【００５３】
サーバ処理部１０５は、信号処理部１０２から認証成功を受信したなら、端末２０との接続を許可する。
サーバ処理部１０５は、信号処理部１０２から不正端末であることを通知されたなら、これを認識し接続を許可しない。
【００５４】
端末２０は、サーバに対しコンソールケーブル等で接続するＰＣなどであり、信号受信部２０１、信号処理部２０２、信号送信部２０３、端末処理部２０４を備える。
信号受信部２０１は、サーバ１０から認証信号を受信し、これを信号処理部２０２に転送する。
【００５５】
信号処理部２０２は、信号受信部２０１から受信した信号を処理し認証信号であることを検出する。
信号処理部２０２は、認証信号が予め設定した波形の信号であると判定したなら、認証応答信号を作成して信号送信部２０３と端末処理部２０４に転送する。
【００５６】
認証応答信号は、例えば、予め設定した周波数の信号、または、予め設定された０と１で表現されるバイナリコードに変換して電気信号にしたパルス信号、または、当該信号および当該パルス信号を変調した信号である。
【００５７】
一方、信号処理部２０２は、認証信号が予め設定した波形の信号でないなら処理を停止する。すなわち、端末２０が本来接続されるべきでないサーバに接続されたと判定し、接続シーケンスを起動せず接続処理を行わない。
【００５８】
信号送信部２０３は、信号処理部２０２から受信した認証応答信号をサーバ１０に送信する。
端末処理部２０４は、信号処理部２０２から認証応答信号を受信したなら、認証応答信号を処理し、端末２０を起動待ちの状態にする。
【００５９】
図６は、第２の実施の形態に係る接続システムの動作方法を示す図である。
サーバ１０の接続検出部１０１は、ＰＣなどの端末２０がサーバ１０に物理的にコンソールケーブル等で接続されたなら、このような端末の接続を検出し（ｃ４１）、信号処理部１０２に通知する（ｃ４２）。
【００６０】
信号処理部１０２は、接続検出部１０１から接続の通知があったなら、予め設定した波形で認証信号を作成し（ｃ４３）、これを信号送信部１０３に転送する（ｃ４４）。
信号送信部１０３は認証信号を端末２０に送信する（ｃ４５）。
信号受信部２０１は、認証信号を受信し、信号処理部２０２に転送する（ｃ４６）。
【００６１】
信号処理部２０２は、受信した信号を処理し、認証信号であることを検出する（ｃ４７）。
信号処理部２０２は、認証信号が予め設定した波形の信号であると判定したなら、認証応答信号を作成し、これを信号送信部２０３と端末処理部２０４に転送する（ｃ４８）（ｃ４９）。
信号処理部２０２は、認証信号が予め設定した波形の信号でないなら処理を停止する（ｃ５０）。
端末処理部２０４は、信号処理部２０２から受信した認証応答信号を処理し、端末２０を起動待ちの状態とする（ｃ５１）。
【００６２】
信号送信部２０３は、認証応答信号をサーバ１０に送信する（ｃ５２）。
信号受信部１０４は、認証応答信号を受信して、これを信号処理部１０２に転送する（ｃ５３）。
信号処理部１０２は、認証応答信号を処理し、これが予め設定した波形の信号であると判定したなら（ｃ５４）、サーバ処理部１０５に認証成功を通知する（ｃ５５）。
【００６３】
サーバ処理部１０５は、認証成功が通知されたなら端末２０との接続を許可する（ｃ５６）。
【００６４】
一方、サーバ処理部１０５は、認証応答信号が予め設定した波形の信号でないなら処理を停止する（ｃ５７）。
【００６５】
このように、第２の実施の形態によれば、容易な認証によりサーバと端末を接続することができる。
【００６６】
図７は、サーバ１０に代えて、不正サーバ１０Ａが使用された際の動作を示す図である。
一例として端末２０が不正なサーバ（ＰＣ等）に接続され、パスワードクラッキング等を受け、端末内部情報や端末を操作されるケースがある。
【００６７】
不正サーバ１０Ａは、端末２０が不正サーバ１０Ａに物理的にコンソールケーブル等で接続されたなら、このような端末の接続を検出し、予め設定した波形で認証信号を作成する（ｓ７１）、または、認証信号を生成する機能が無く、信号を生成しない。
不正サーバ１０Ａは、認証信号を作成したなら、これを端末２０に送信する（ｃ７２）。
信号受信部２０１は、認証信号を受信し、信号処理部２０２に転送する（ｃ７３）。
信号処理部２０２は、信号を処理し、認証信号が予め設定した波形の信号でないと判定し処理を停止する（ｃ７４）。つまり、端末２０が本来接続されるべきでないサーバに接続されたと判定し、接続シーケンスを起動せず接続処理を行わない。
【００６８】
このように、第２の実施の形態によれば、不正サーバと端末の接続を防止することができる。
【００６９】
図８は、端末２０に代えて、不正端末２０Ａが使用された際の動作を示す図である。
接続検出部１０１は、不正端末２０Ａがサーバ１０に物理的にコンソールケーブル等で接続されたなら、このような端末の接続を検出し（ｃ８１）、信号処理部１０２に通知する（ｃ８２）。
【００７０】
信号処理部１０２は、接続の通知があったなら、予め設定した波形で認証信号を作成し（ｃ８３）、これを信号送信部１０３に転送する（ｃ８４）。
信号送信部１０３は、認証信号を不正端末２０Ａに送信する（ｃ８５）。
【００７１】
不正端末２０Ａは、認証信号を受信して信号を処理し、不明信号を受信したことを検出し、接続シーケンスを起動し、接続を要求する要求信号を作成し（ｃ８６）、これを送信する（ｃ８７）。
【００７２】
信号受信部１０４は、認証応答信号ではなく接続を要求する要求信号を受信し、信号処理部１０２に転送する（ｃ８８）。
信号処理部１０２は信号を処理し、予め設定した波形の認証応答信号でないと判定し、処理を停止する（ｃ８９）。
【００７３】
このように、第２の実施の形態によれば、サーバと不正端末の接続を防止することができる。
【００７４】
なお、各実施の形態の端末１、記憶媒体２、サーバ１０、端末２０としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７５】
１  端末
１Ａ  不正端末
１１  接続検出部
１２  信号処理部
１３  信号送信部
１４  信号受信部
１５  端末処理部
２  記憶媒体
２Ａ  不正記憶媒体
２１  信号受信部
２２  信号処理部
２３  信号送信部
２４  媒体処理部
１０  サーバ
１０Ａ  不正サーバ
１０１  接続検出部
１０２  信号処理部
１０３  信号送信部
１０４  信号受信部
１０５  サーバ処理部
２０  端末
２０Ａ  不正端末
２０１  信号受信部
２０２  信号処理部
２０３  信号送信部
２０４  端末処理部
【図１】
2015222468.tif 000003
【図２】
2015222468.tif 000004
【図３】
2015222468.tif 000005
【図４】
2015222468.tif 000006
【図５】
2015222468.tif 000007
【図６】
2015222468.tif 000008
【図７】
2015222468.tif 000009
【図８】
2015222468.tif 000010